(57)【要約】      （修正有）【課題】遊戯具用ブロックは同一形状の遊戯具用ブロックを多数個任意に接合することにより、多種多様な創造物形状に組み立てることが出来る遊戯具用ブロックを提供する。【解決手段】それぞれの各面に凹孔及び凸部をそれぞれ異なった位置に配置し、この形状の遊戯具用ブロック一種類のみを多数個用いることで多種多様な造形物を構築するものであり、正四角形の一面には円周位置に間隔を均等とする凹孔を８個、他の正四角形の一面及び斜面には間隔を均等とする凹孔及び凸部各４個を交互配置で設ける。また、正三角形の一面には円周位置に間隔を均等とする凹孔を４個、他の一面には円周位置に間隔を均等とする凹孔及び凸部各２個を交互配置で設ける構造。【選択図】図１
2009000139.tif 000002
【特許請求の範囲】
【請求項１】
正立方体を対角線上で均等に二分割し端面が正三角形を構成する直角二等辺三角柱において、二等辺の正四角形の一面にはその中心点から均等な寸法の円周位置に間隔を均等とする断面が六角形の凹孔４個及び断面が円の凸部４個を交互に設け、他の二等辺の正四角形の一面にその中心点から均等な寸法の円周位置に間隔を均等とする断面が六角形の凹孔を８個設け、また該直角二等辺三角柱の側面の一面に仮想正四角形の中心点から均等な寸法の円周位置に間隔を均等とする断面が六角形の凹孔を４個設け、他の三角形状の側面の一面には仮想正四角形の中心点から均等な寸法円周位置に間隔を均等とする断面が六角形の凹孔２個及び断面が円の凸部２個を交互に設け、並びに該直角二等辺三角柱の斜面にその仮想正四角形の中心点から均等な寸法の円周位置に間隔を均等とする断面が六角形の凹孔４個及び断面が円の凸部４個を交互に設けてなることを特徴とする遊戯具用組み立てブロック
【請求項２】
直角二等辺三角柱の各面に設ける凹孔の六角形の各辺の略中央部に突起部を設けたことを特徴とする請求項１に記載の遊戯具用組み立てブロック
【発明の詳細な説明】
【技術分野】
【０００１】
本願発明は主に組み立て遊戯具として用いる組み立てブロックであり、直角二等辺三角柱の全表面に凹孔および凸部を組み合わせ配置して設けることで、１種類の形状の本願発明の遊戯具用組み立てブロックを多数個用いて自在に組み合わせることによって、多種多様な形状の創作物又は造形物を任意に形成できる遊戯具用組み立てブロックに関するものである。
【背景技術】
【０００２】
従来から、子供向けの遊戯用に用いるもので組み立てブロックと称される遊具は多種に存在した。
長立方体の一片に複数の凸部を設け、その反対面の同位置に凹部を設け、複数個を用いて凹凸を嵌合させて組み立て内部を空間として容器兼用の組み立てブロック（特許文献１参照）が存在するが完成した形状は長立方体の累積にしかならない欠点がある。
【０００３】
また、長立方体の各面に複数の凹凸を整然と設けたほか、四角や三角型の枠形状の立方体に同じように複数の凹凸を整然と設け、お互いの凹凸部分を嵌合させることで、目的の形状の模型形状に組み立てるブロック（特許文献２参照）が存在するが、形状の異なる複数のブロックが揃わないと目的の模型構造を形成できない欠点がある。
【０００４】
また、正立方体の各面に複数の凹凸を設け、お互いの凹凸を見極めて嵌合させて組み立てるブロック（特許文献３参照）が存在するが、組み立てた形状は正立方体の累積となり、単なるパズル的遊戯効果しか有していない欠点があるある。
【０００５】
また、正立方体と正三角立方体の１面に鉄片を取り付けし、他の面には磁石辺を取り付けしたブロック（特許文献４参照）が存在するが、四角体と三角体の組み合わせのパズル効果は期待できるが、組み立てた形状は正立方体の累積に留まり、多種な形状を形成することは出来ない欠点がある。
【０００６】
また、正立方体の相対する２面には凹凸を設け、他の４面には図柄合わせとなる図柄等の一部又は数字等を印刷手段等で設け、必要多数を組み合わせることで図柄等を完成させるブロック（特許文献５及び６参照）が存在するが、その最終目的はパズルによる絵柄等の完成にあり、多種多様な形状を創作する目的には合致しない。
【０００７】
本願発明者は、これらの先願の問題点から画期的な発想のもと、本願発明の基本となる全く新たな組み立て遊戯具用ブロック（特許文献７及び８参照）を提案し出願した実績を持つ。
【０００８】
しかしながら、本願発明者の先願の組み立て遊戯具用ブロックを用いた場合、多種多様な形状を創作構成する可能性を持った組み立て遊戯具用ブロックではあったが、嵌合部分が単なる円形状の凹凸を形成したに過ぎなかったため、嵌合部分の脱着の容易さと嵌合した場合の接合力の面で相反する事象が発生する欠点を有し、実用化を図る上で問題点を抱えていた。
【０００９】
【特許文献１】実開昭４７−１６５９９号公報
【特許文献２】特開平９−２４１６５号公報
【特許文献３】実公昭４２−２２１７４号公報
【特許文献４】実開昭５４−１３８７９０号公報
【特許文献５】実開昭５０−１９５９４号公報
【特許文献６】実開昭５３−１０１８００号公報
【特許文献７】特開２００１−１２０８５０号公報
【特許文献８】特開２００２−２００３７０号公報
【発明の開示】
【発明が解決しようとする課題】
【００１０】
本願発明の遊戯具用組み立てブロックは、既にその原型となる組み立て遊戯具用ブロック構造で出願を行い、（特許文献７及び８）特許文献１から６に示した従来の組み立てブロックとは、その形状及び機能において全く異なるものは明らかではあるが、出願人の固有の事情により権利化が未済に完結している。
【００１１】
しかしながら、本願発明の原型となる先願発明の機能・構造には機能と製作コストの整合性等から実用性の面で不完全な面があった。具体的には凹凸の嵌合部分にあり、幼児などが容易に組み立てられ、また、小学生等のクラス以上には多種多様な造形物を構築する機能を補完するには、ブロック同士の嵌合脱着の容易さと、勘合した後の嵌合の接合力の保持に特段の工夫を要することが判明した。これらの問題点を解消する構造を新たに創作したので、これを加え改めて新規に権利を主張するものである。
【課題を解決するための手段】
【００１２】
前記課題を解決するため、凹孔と凸部の位置と個数並びに形状、寸法等に種々検討試作・検証を行った結果、以下の構造が最も実用的で利用者の至便に供するものと結論付けられる。
【００１３】
正立方体を均等に二分割し端面が正三角形を構成する直角二等辺三角柱において、その二等辺の正四角形の一面にはその中心点から均等な寸法の位置に間隔を均等とする断面が六角形の凹孔４個及び断面が円の凸部を４個交互に設け、他の二等辺の正四角形の一面にその中心点から均等な寸法の位置に間隔を均等とする断面が六角形の凹孔を８個設け、また該直角二等辺三角柱の三角形状の側面の一面に仮想正四角形の中心点から均等な寸法の位置に間隔を均等とする断面が六角形の凹孔を４個設け、他の三角形状の側面の一面には仮想正四角形の中心点から均等な寸法の位置に間隔を均等とする断面が六角形の凹孔を２個及び断面が円の凸部を２個交互に設け、並びに該直角二等辺三角柱の斜面にはその仮想正四角形の中心点から均等な寸法の位置に間隔を均等とする断面が六角形の凹孔を４個及び断面が円の凸部を４個交互に設けた遊戯具用組み立てブロックを構成することである。
【００１４】
しかしながら、本願発明は本願発明の原型先願（特許文献７及び８）に近似していることには違いないが、最大の特徴は各面に設ける凹孔の断面形状を六角形としたことである。
【発明の効果】
【００１５】
本願発明に係る遊戯具用組み立てブロックは凹孔の断面形状を六角形とし凸部の断面を円形状とすることで、嵌合のための脱着が容易であることに加え、組み立てた際の嵌合による接合力及びその堅牢性が飛躍的に向上し、相当の背の高い造形物や捻りを加えた螺旋状の造形物形状をも構築することが可能である。
即ち凹孔と凸部の接合点が６点の接線になることであり、摩擦抵抗が極端に小さくなることで脱着が容易となり、かつ接合点が接線であること故に嵌合時の強度が十分に保持されるのである。
【００１６】
従って、本願発明に係る遊戯具用組み立てブロックは幼児でも簡単に取り扱うことが出来るほか、大人でも知的訓練の一助として想像力をかき立てる楽しみを伴ったゲーム感覚で活用することができる。
【００１７】
また、本願発明に係る遊戯具用組み立てブロックは主に幼児から中学生までの知育発達過程の補助具として有効としてなる遊戯具用組み立てブロックではあるが、直角二等辺三角柱のブロック一種類のみを多数個用いることによって、利用者を限定することなく又予め想定した造形物に全く関係なしに、使用する組み立てブロックの数量によっては無限大の造形物を創造・創作・構築することが可能である。  
【発明を実施するための最良の形態】
【００１８】
請求項１についての本願発明に係る遊戯具用組み立てブロックについて、図１〜図３に基づき順次詳細に説明する。
【００１９】
図１の（Ａ）〜（Ｅ）は本願発明の遊戯具用組み立てブロックの全平面図である。
本願発明の遊戯具用組み立てブロックの形状は、正四角立方体の対角線上で二分割した正三角形の表面を有する直角二等辺三角柱１が基本であり、この形状の遊戯具用ブロック一種類のみを多数個用いることで多種多様な造形物を構築できるのである。
【００２０】
まず、図１（Ａ）の直角二等辺三角柱１において、２面を有する二等辺の正四角形の一面には図２に示すようにその中心点から均等な寸法の円周位置に間隔を均等とする断面が六角形の凹孔２を４個及び断面が円の凸部３を４個交互に設ける。
【００２１】
ここで、凹孔２及び凸部３を設ける位置について図２を用いて説明を加える。
正四角形の外接円の中心を通る４本の対称軸により区分される八等分の合同な二等辺三角形の内心（各内角の二等線分の交点）に設定する。
また、長方形の面においては短辺の長さを基準とする正四角形を仮想として、その正四角形の外接円の中心を通る４本の対称軸により区分される八等分の合同な二等辺三角形の内心（各内角の二等線分の交点）に設定する。
また、直角二等辺三角形面においては二等辺の長さを持つ仮想正四角形の外接円の中心を通る４本の対称軸により区分される八等分の合同な二等辺三角形の内心（各内角の二等線分の交点）に設定する。
なお、中心からの寸法は製作上・強度確保上において最大となる地点であれば良く、
以下全ての面における凹孔及び凸部の位置決めは同じ手法により同じ中心からの寸法で設ける。
【００２２】
次に、図１の（Ｂ）の直角二等辺三角柱１において２面を有する二等辺の正四角形の他の一面には図２に示すようにその中心点から均等な寸法の円周位置に間隔を均等とする断面が六角形の凹孔２を８個設ける。
【００２３】
次に、図１の（Ｃ）の直角二等辺三角柱１において、２面を有する三角形状の側面の一面には、仮想正四角形の中心点から均等な寸法の円周位置に間隔を均等とする断面が六角形の凹孔２を４個設ける。
【００２４】
次に、図１の（Ｄ）の直角二等辺三角柱１において、２面を有する三角形状の他の側面の一面には、仮想正四角形の中心点から均等な寸法の円周位置に間隔を均等とする断面が六角形の凹孔２を２個及び断面が円の凸部３を２個交互に設ける。
【００２５】
次に、図１の（Ｅ）の直角二等辺三角柱１において、斜面にその仮想正四角形の中心点から均等な寸法の円周位置に間隔を均等とする断面が六角形の凹孔２を４個及び断面が円の凸部３を４個交互に設ける。
なお、全ての面に設ける凸部の先端部は安全上、面取りを行うことが重要なことは言うまでもない。
【００２６】
以上の如く５面それぞれに断面が六角形の凹孔及び断面が円の凸部を設けることで、
（Ａ）（Ｄ）（Ｅ）面は、他のどの面とも自在に接合が可能である。
（Ｂ）面は、（Ｂ）以外の他の面と自在に接合が可能である。
（Ｃ）面は、（Ｃ）以外の他の面と自在に接合が可能である。
本願発明の特徴は、遊戯具用組み立てブロックそれぞれの面に設けた凹孔及び凸部の配置から、同じ形状の他の遊戯具用組み立てブロックとの接合組み立てについて、想像力を発揮しながら、創造物として完成させることに意義と楽しさを共有していることにある。
【００２７】
図３により、本願発明の遊戯具用組み立てブロックの最大の特徴を説明する。
図３は、凹孔２及び凸部３の接合の断面拡大図であり、凹孔２の断面を六角形とすることで凸部３の外円周部と凹孔２の内面との接触面は６カ所の限られた接点となり、凸部３の長さ及び凹孔２の深さに比例する寸法の接線が接合点（線）となる。
このことにより、本願発明の遊戯具用組み立てブロックの断面が六角形の凹孔２及び断面が円の凸部３の制作上の精度を極端に高めなくとも脱着の際の摩擦抵抗は極端に低く、かつ接合後、嵌合力は飛躍的の堅固となるのである。
なお、本願発明の遊戯具用組み立てブロックの凹孔２の構造は試行錯誤の末六角形断面が最良であるとしたが、製作コスト等からみて３〜８角形の多角形であれば特段の問題は生じず、本願発明に記載した遊戯具用組み立てブロックの凹孔２の断面の六角形に拘るものではない。
【００２８】
また、本願発明とは逆に凹孔２の断面形状を円とし、凸部３の断面形状を六角形とすることも同じような効果を発揮することであり、本願発明の記載条件に制約を受けるものではない。
【００２９】
また、凹孔２及び凸部３を設ける数と位置についても２カ所〜１０箇所などのバリエーションにも対応可能であり、本願発明の記載条件に制約を受けるものではない。
【００３０】
本願発明の遊戯具用組み立てブロックは、その製作技術上及び製作コスト上、樹脂による成形が最も好ましいが、その材質は金属や木材のほか他の材料には制約を受けるものではない。
【００３１】
本願発明の遊戯具用組み立てブロックは、樹脂を用い成形する場合その成形の容易さから材料使用の効率化による省資源化、軽量化の観点から中空とすることが可能であるし、製作技術的・コスト的に優位であれば金属や木材その他材料を用いた場合も中空とすることに制約を受けない。
【００３２】
次に、請求項２についての本願発明に係る遊戯具用組み立てブロックについて、図４に基づき説明する。
本願発明の遊戯具用組み立てブロックは、請求項１において凹孔の最適形状を六角形とている。しかし、その各辺は単純な正六角形の直線的でも嵌合度は十分であるが、図４に示す如くその各辺の略中央部に突起を設けることで、より嵌合が容易かつ嵌合後の接合力が高められることが可能となる。
なお、突起の形状については接合する凸部との接触点が少なくなることが可能であれば良く、本願発明においては図４の形状に特定しない。
【産業上の利用可能性】
【００３３】
本願発明の遊戯具用組み立てブロックは、知的な創造力や遊びの楽しさの遊戯具以外に、指先の感覚を養成することにも役立ち、脳感覚の衰え防止や、健康増進のための機能維持をはじめ、身体機能に障害を起こした人の心身を総合した機能回復用訓練にも各人のイメージに基づく造形物を構築するという楽しみを持たせながら活用できるものである。故に、活用次第では全く年齢層を特定することなく万人が利用できる遊戯具用組み立てブロックであると断言できる。
【図面の簡単な説明】
【００３４】
【図１】本願発明に係る遊戯具用組み立てブロックの全体を表す図      （Ａ）本願発明に係る遊戯具用組み立てブロックの二等辺の一面の平面図      （Ｂ）本願発明に係る遊戯具用組み立てブロックの二等辺の他の一面の平面図      （Ｃ）本願発明に係る遊戯具用組み立てブロックの側面の一面の平面図      （Ｄ）本願発明に係る遊戯具用組み立てブロックの側面の他の一面の平面図      （Ｅ）本願発明に係る遊戯具用組み立てブロックの斜面の平面図
【図２】本願発明に係る遊戯具用組み立てブロックの凹孔及び凸部の位置を表す平面図
【図３】本願発明請求項１に係る遊戯具用組み立てブロックの嵌合断面拡大図
【図４】本願発明請求項２に係る遊戯具用組み立てブロックの嵌合断面拡大図
【図５】本願発明に係る遊戯具用組み立てブロック組み合わせて構築した内部空間を          有する球を模した造形物例
【図６】本願発明に係る遊戯具用組み立てブロック組み合わせて構築した捻りを取り          入れた螺旋形状の竜を模した造形物例
【図７】本願発明に係る遊戯具用組み立てブロック組み合わせて構築した一本の螺旋から成るドーナツ形の造形物例
【符号の説明】
【００３５】
１  直角二等辺三角柱
２  凹孔
３  凸部
４  凹孔と凸部が嵌合した時の接点
【図１】
2009000139.tif 000003
【図２】
2009000139.tif 000004
【図３】
2009000139.tif 000005
【図４】
2009000139.tif 000006
【図５】
2009000139.tif 000007
【図６】
2009000139.tif 000008
【図７】
2009000139.tif 000009